(57)【特許請求の範囲】
【請求項１】
第１の電源回路の出力側にバイパス抵抗を並列に接続した回路と、第１の電源回路と極性が異なる第２の電源回路の出力側にバイパス抵抗を並列に接続した回路とを各バイパス抵抗が直列になるように接続し、第１の電源回路及び第２の電源回路から選択的に出力させる電源装置において、
第１の電源回路及び第２の電源回路の一方に設けられたバイパス抵抗をラッシュ電流抑制抵抗と逆バイアスディスチャージ抵抗とで構成し、第１の電源回路及び第２の電源回路の他方から出力されているときに前記逆バイアスディスチャージ抵抗を短絡するスイッチング手段を設けたことを特徴とする電源装置。
【請求項２】
前記第１の電源回路及び前記第２の電源回路の一方への電源入力をスイッチング制御すると共に、基準値と前記電源回路の出力との誤差増幅を行う複数の制御手段と、
前記複数の制御手段を切り替える切り替え回路と、
を更に設けた請求項１記載の電源装置。
【請求項３】
前記切り替え回路は、前記複数の制御手段を１つの切り替え信号で排他的に切り替える請求項２記載の電源装置。
【発明の詳細な説明】
【０００１】
【発明の属する技術分野】
本発明は、電源装置に係り、より詳しくは、第１の電源回路及び第２の電源回路の出力側にバイパス抵抗を接続し、第１の電源回路及び第２の電源回路から選択的に出力させる電源装置に関する。
【０００２】
【従来の技術】
プリンター、複写機等の画像形成装置は、感光体ドラムに静電潜像を形成し、トナーで現像してトナー像を形成し、接触転写装置（以下、転写装置という）で、トナー像を用紙に転写している。転写装置は、転写ロールを、トナー（＋）と逆電荷（−）に帯電させている。即ち、転写装置は、転写ロールに、マイナス高圧出力を供給している。このように、マイナス高圧出力供給された転写ロールに、トナー（＋）が付着する場合がある。転写ロールにトナーが付着すると、用紙の裏にこのトナーが付着して、用紙を汚すおそれがある。よって、転写ロールに付着した不要なトナーをクリーニングする必要がある。そこで、非転写時には、転写装置は、逆極性（プラス高圧出力）を転写ロールに印加している。
【０００３】
このように異なる極性の電圧を印加する電源供給システムには、正負用コンバーターをシリーズ（直列）に接続する回路方式と、正負コンバーターを並列にスイッチを介して接続する回路方式とがある。
【０００４】
正負用コンバーターをシリーズに接続する回路方式には、例えば特公平２−１６６５９号公報に記載されているように、低圧入力電圧を昇圧した高圧出力を負荷に供給する電源装置において、高圧側に設けられた第１及び第２の高圧出力部と、低圧側に設けられた前記第１および第２の高圧出力部を選択的に作動（片側ＯＦＦ構成）させる出力切換装置と、前記第１及び第２の高圧出力部の各出力巻き線にそれぞれ並列に設けられ、かつ、相互に接続された第１および第２の抵抗とを具備し、前記出力巻き線にそれぞれ並列に設けられ、かつ、相互に接続された第１および第２の抵抗とを具備し、前記出力切換装置により正、負の高圧出力を切換て負荷に供給することを特徴とする正負切換高圧電源装置がある。なお、正負コンバーターを並列にスイッチを介して接続する回路方式には、特開平５−２２４５４１号公報や、特開平１−２９２３８５号公報に記載されている装置などがある。
【０００５】
また、転写装置に電源を供給する電源装置は、図１４に示すように、昇圧回路５０を用い１次側入力をスイッチング制御するためのスイッチング素子７０と、昇圧回路５０によって高圧化された２次側の出力状態を出力状態検出回路８０により検出し、検出した出力状態と基準値とを比較して、スイッチング素子７０に与えるべきPWM信号のDUTY値を制御する、切換え回路７２、比較回路７４等で構成される制御回路と、を備えている。
【０００６】
このような電源回路は、転写装置の環境等（機外温度変化を含む）による転写装置のインピーダンス変化、用紙のインピーダンス変化や、転写装置の汚れ等による転写装置のインピーダンス変化等により、転写ロールに供給する出力が変化し、高い画質を維持することが困難な場合がある。そこで、上記環境等が転写性能に与える影響を低減するため、転写装置のインピーダンス等の状態値を適時観測し、転写ロールに供給する電源の出力を一定にする必要がある。
【０００７】
一般的な手段としては、転写を行う前に、転写装置のインピーダンスを観測し、事前に用意された転写装置のインピーダンスに対する転写電圧、転写電流のテーブルから転写パラメーターを決定する。または、適正な転写電圧、転写電流を転写装置のインピーダンスから演算によって求めて、転写パラメーターを決定する。そして、転写パラメーターに基づいて、１次側の入力電圧、入力電流をスイッチング制御して、転写装置に供給する電源の出力を一定にすることが行われている。
【０００８】
【発明が解決しようとする課題】
上記正負用コンバーターを、シリーズに接続する回路方式は、電源装置の小型化及び、正負切換時の低ノイズ化に対し有効な技術である反面、２次側の出力電流、電圧により、バイパス抵抗のパワーロスが電流値、電圧値の自乗で増加するため、回路の使用範囲が限定される。また、正負コンバーターを並列にスイッチを介して接続する回路方式は、電源装置の高い効率化、出力電圧の高圧化、そしてハイパワー化に対し有効な技術である反面、出力切換え時にノイズが発生し、装置及び周辺装置への対策が必要となり、これのためにコストがかかり、また、切換え装置とノイズ対策のため装置が大型化し、さらに切換えスピードが限定されるため、用途が限定される。
【０００９】
本発明は、上記事実に鑑みなされたものであり、低ノイズ化及び高い効率化を図って、広範囲で使用可能となる電源装置を提案することを第一の目的とする。
【００１０】
また、上記のように、切換え回路７２及び比較回路７４等を備える構成では、切換え回路７２の切換え時間と比較回路７４での演算時間がかかる為、電源として切換後の出力が安定するまでに時間がかかりハイスピード機の場合や切換え時間の要求が厳しい場合に画質に影響を及ぼす可能性がある。
【００１１】
切換え回路７２の切換え中は基準値が不確定となる為、電源として出力が不安定になる期間が生じ、異常電圧が発生し回路の故障や転写装置でのリークまたは転写装置を破損させる可能性がある。
【００１２】
比較回路７４が１つなので広範囲での出力の安定制御が困難になり画質に影響を及ぼす可能性がある。
【００１３】
切換え回路には通常メカニカルリレーか半導体スイッチを使用するためコストアップになる。
【００１４】
本発明は、上記事実に鑑みなされたもので、電源装置の状態に応じてパラメーターを切換える際の切換え時間を短縮することの可能な電源装置を提案することを第２の目的とする。
【００１５】
【課題を解決するための手段】
上記目的を達成するため請求項１記載の発明は、第１の電源回路の出力側にバイパス抵抗を並列に接続した回路と、第１の電源回路と極性が異なる第２の電源回路の出力側にバイパス抵抗を並列に接続した回路とを各バイパス抵抗が直列になるように接続し、第１の電源回路及び第２の電源回路から選択的に出力させる電源装置において、第１の電源回路及び第２の電源回路の一方に設けられたバイパス抵抗をラッシュ電流抑制抵抗と逆バイアスディスチャージ抵抗とで構成し、第１の電源回路及び第２の電源回路の他方から出力されているときに前記逆バイアスディスチャージ抵抗を短絡するスイッチング手段を設けている。
【００１６】
このように、第１の電源回路及び第２の電源回路の一方に設けられたバイパス抵抗をラッシュ電流抑制抵抗と逆バイアスディスチャージ抵抗とで構成し、第１の電源回路及び第２の電源回路の他方から出力されているときに逆バイアスディスチャージ抵抗を短絡するため、内部損失を少なくすることができ、高い効率化を図ることができると共に、このようにバイパスするため、切換え時にノイズを発生しない。
【００１８】
また、請求項２記載の発明は、前記請求項１記載の発明において、前記第１の電源回路及び前記第２の電源回路の一方への電源入力をスイッチング制御すると共に、基準値と前記電源回路の出力との誤差増幅を行う複数の制御手段と、前記複数の制御手段を切り替える切り替え回路と、を更に設けている。
また、請求項３記載の発明は、前記請求項２記載の発明において、前記切り替え回路は、前記複数の制御手段を１つの切り替え信号で排他的に切り替えることができる。
【００１９】
このように、第１の電源回路及び第２の電源回路の一方への電源入力をスイッチング制御すると共に、基準値と前記電源回路の出力との誤差増幅を行う制御手段を複数設けたので、複数の制御手段各々は、各々の基準値と電源出力とを比較するので、基準値を切換える時間をなくすことができ、電源装置の状態に応じてパラメーターを切換える時間を短縮することができる。
【００２１】
【発明の実施の形態】
以下、図面を参照して、本発明の第１の実施の形態を説明する。本実施の形態は、例として、プリンター、複写機等の画像形成装置における転写装置に電源を供給する電源供給システムとして説明する。
【００２２】
図１に示すように、電源供給システムは、１次側入力を昇圧して、マイナス出力を発生させる第１のトランス５０及び半波整流回路５１、１次側入力を昇圧してプラス出力を発生させる第２のトランス６０及び半波整流回路６１を備えている。第１のトランス５０の１次側には、１次側入力を定電圧制御して、２次側出力を所定の電圧（転写装置の第１の状態に応じた値）に制御する転写電圧制御部１４、及び、１次側入力を定電流制御して、２次側出力を所定の電圧（転写装置の第２の状態に応じた値）に制御する転写電流制御部１６が接続されている。転写電圧制御部１４及び転写電流制御部１６は、これらを切換える切換え回路１２に接続されている。なお、切換え回路１２には、転写電圧制御部１４及び転写電流制御部１６の何れかを駆動（イネーブル状態に）する定電圧／定電流セレクト信号が入力される。
【００２３】
第２のトランス６０の１次側には、１次側入力を制御して、２次側出力を一定の電圧（クリーニング可能な電圧）に制御する逆バイアス電圧制御部２６及び逆バイアス出力電圧検出部２８が接続されている。
【００２４】
切換え回路１２及び逆バイアス電圧制御部２６には、これらに転写のための転写信号及びクリーニングーのためのクリーニング信号を入力する信号判定回路３０が接続されている。信号判定回路３０には、転写／クリーニングセレクト信号が入力される。
【００２５】
第１のトランス５０の２次側の半波整流回路５１には、逆バイアス電流用バイパス抵抗１８が並列に接続されている。第２のトランス６０の２次側の半波整流回路６１には、各々直列に接続された転写電流バイパス用ラッシュ電流抑制抵抗１９及び逆バイアスディスチャージ抵抗２０が、並列に接続されている。逆バイアスディスチャージ抵抗２０には並列に、転写電流バイパス用スイッチ２５が接続されている。上記抵抗１８、１９，２０は直列に接続されている。第１のトランス５０及び第２のトランス６０の出力側（ＶOUT）には、転写用出力電圧検出部２２が接続されている。上記抵抗１８，１９，２０には更に転写用出力電流検出部２４が直列に接続されている。転写用出力電流検出部２４は、転写電流バイパス用スイッチ２５及び転写電流制御部１６に接続され、転写用出力電圧検出部２２は転写電圧制御部１４およびモニター電圧補正回路３２に接続されている。
【００２６】
次に本実施の形態の作用を説明する。
【００２７】
まず、転写時について説明する。転写時には、転写信号を出力するように、信号判定回路３０に、転写／クリーニングセレクト信号が入力される。転写信号は、切換え回路１２に入力される。転写信号を入力した切換え回路１２は、定電圧／定電流セレクト信号に基づいて、駆動信号を、転写電圧制御部１４又は転写電流制御部１６に入力して、転写電圧制御部１４及び転写電流制御部１６のいずれか一方を駆動させる。１次側入力を定電圧制御する場合には、転写電圧制御部１４が駆動する。これにより、１次側入力が定電圧制御され、第１のトランス５０及び半波整流回路５１を介して、マイナス出力が２次側に発生する。なお、逆バイアス電圧制御部２６は、駆動しているが転写電流バイパス用スイッチ２５がオンしているため、短絡状態になっており、第２のトランス６０の２次側には出力が発生しているが、負荷側には供給されない。
【００２８】
第１のトランス５０の２次側にマイナス出力が発生すると、点線で示すように、上記抵抗１８，１９，２０に電流が流れようとし、この電流は転写用出力電流検出部２４により、検出され、その検出信号が転写電流バイパス用スイッチ２５に入力されて、このスイッチ２５がオンして、逆バイアスディスチャージ抵抗２０が短絡する。よって、逆バイアスディスチャージ抵抗２０には、転写時には、電流が流れない。第１のトランス５０の２次側にマイナス出力が発生すると、２次側の電圧が転写用出力電圧検出部２２により、検出され、検出信号が、転写電圧制御部１４に入力されると共に、マイナス出力に伴う電流が転写用出力電流検出部２４より検出され、この検出信号が転写電流制御部１６に入力され、定電圧／定電流セレクト信号により定まる転写電圧制御部１４及び転写電流制御部１６の何れかは、各々有する基準値と比較して、第１のトランス５０をスイッチング制御する。
【００２９】
次に、非転写時（クリーニング時）について説明する。非転写時には、クリーニング信号が出力されるように、信号判定判定回路３０に、転写／クリーニングセレクト信号が入力される。クリーニング信号は逆バイアス電圧制御部２６に入力される。なお、この場合、切換え回路１２は、転写電圧制御部１４及び転写電流制御部１６には、駆動信号を出力しない。よって、これらは駆動しない。一方、クリーニング信号が入力された逆バイアス電圧制御部２６は、１次側入力を定電圧制御する。これにより、第２のトランス６０及び半波整流回路６１は、２次側にプラス出力を発生させる。このとき、２次側電圧の大きさを逆バイアス出力電圧検出部２８が検出し、この検出値に基づいて、逆バイアス電圧制御部２６は、２次側出力が所定電圧（クリーニング可能な電圧）となるように１次側入力を制御する。第２のトランス６０の２次側にプラス出力が発生すると、これに伴って電流が、上記抵抗１８，１９，２０に流れる。
【００３０】
ここで、図３を参照して第１のトランス５０及び第２のトランス６０の２次側を詳細に説明する。図３に示すように、第１のトランス５０及び第２のトランス６０の２次側は、第１のトランスの２次側電源５０Ａ及び第２のトランスの２次側電源５０Ｂが直列に接続され、これらは、バイパス抵抗１８、１９，２０で直列に接続された構成となっていると考えることができる。前述したように、抵抗２０には、並列にスイッチ２５が接続されている。そして、抵抗１８、１９，２０には並列に負荷が接続されている。ここで、従来は図３の構成において、スイッチ２５を省略した構成と同一である。従来及び本願における負荷間電圧Ｖｏ１、Ｖｏ２、第１のトランスの２次側電源５０Ａの電圧Ｖ１、第２のトランスの２次側電源５０Ｂの電圧Ｖ２、抵抗１８，１９，２０の損失Ｐｏ１、Ｐｏ２は次のようになる。
【００３１】
0003721825.tif 000002
【００３２】
図４には、図３の構成における転写時の様子が示されている。なお、上記抵抗１８，１９，２０はそれぞれ、１００ＭΩ、１００ｋΩ、１０ＭΩとする。そして、２次側の出力電圧、出力電流、転写用トランス発生電圧、転写電流バイパス用抵抗間電圧が、次の表の場合を考える。
【００３３】
【表１】
0003721825.tif 000003
【００３４】
この表１に示すように、出力電流としては、１３００μＡや１５００μＡが流れる。そして、転写時に、転写電流バイパス用スイッチ２５をオンするので、抵抗２０（１０ＭΩ）を短絡して、抵抗２０に発生する内部ロスを回避して、上記抵抗１８，１９における損失を最悪状態において０．４９Ｗに押さえることができる。なお、非転写時には表２に示すようになる。
【００３５】
【表２】
0003721825.tif 000004
【００３６】
以上説明したように、本実施の形態ではスイッチ２５をＯＮして、バイパス抵抗より低い抵抗値でバイパスするので、内部損失を少なくすることができると共に、切換え時にノイズが発生することを防止することができる。即ち、次の種々の効果を得ることができる。
【００３７】
即ち、−出力と＋出力との切換え時にノイズが発生しないため、装置および周辺装置への対応策にコストが不要となる。バイパス抵抗値切替装置増加分を見込んでも、装置全体として、極めて低コスト化が可能である。バイパス抵抗可変装置の追加装置の形状は、出力電流、電圧により、バイパス抵抗のパワーロスが電流値，電圧値の２乗で増加するため、そのＰｏｗｅｒアップに対応した電源装置の形状に対し，小型である。上記切替時の切替スピードが極めて高速に出来る。
【００３８】
出力電圧、電流値の増加に対し、制約が極めて少ない。（ハイ・パワーにも対応可能である。）
各（正負）電源装置の電圧を増加幅が極めて少なくすむので、耐圧等の処理が不要になり、低コスト・小型化が可能である。
【００３９】
以上説明した第１の実施の形態では、転写用出力電流に基づいて、転写電流バイパス用スイッチをＯＮするようにしているが、本発明はこれに限定されるものでなく、次のようにすることができる。即ち、今現在が転写動作時であるかどうかを次の種々の素子からの出力に基づいて判定して、転写電流バイパス用スイッチをＯＮするようにしてもい。
【００４０】
即ち、図５に示すように、転写用出力電圧検出部２２の検出信号に基づいてスイッチ２５をＯＮするようにしてもよい、１次側を定電圧制御する場合には、図６に示すように、転写電圧制御部１４からの信号に基づいてスイッチ２５をＯＮするようにしてもよい。一方、１次側定電流制御する場合には、図７に示すように、転写電流制御部１６からの信号に基づいてスイッチ２５をＯＮするようにしてもよい。更に図８に示すように、逆バイアス電圧制御部２６からの信号に基づいてスイッチ２５をＯＮするようにしてもよい。又、図９に示すように、逆バイアス出力電圧検出部２８からの信号に基づいてスイッチ２５をＯＮするようにしてもよい。尚、信号判定回路３０からの信号に基づいてスイッチ２５をＯＮするようにしてもよい。
【００４１】
なお、前述した第１の実施の形態では、逆バイアスディスチャージ抵抗を転写電流バイパス用スイッチで短絡するようにしているが、本発明はこれに限定されるものではなく、逆バイアス電流用バイパス抵抗をスイッチで短絡するようにしてもよい。なお、短絡する場合に限定されず、
バイパスする抵抗より小さい値の抵抗でバイパスするようにしてもよいす。
【００４２】
次に、本発明の第２の実施の形態を説明する。本実施の形態は、前述した第１の実施の形態と同様の構成を有するので同一部分は省力して、異なる部分について説明する。
【００４３】
図１０に示すように、本実施の形態にかかる切換え回路１２Ａは、複数のトランジスタ、本実施の形態では３段にトランジスタを配置して構成している。この切換え回路１２Ａには、第１の実施の形態における定電圧／定電流セレクト信号に対応する基準電圧Ａ／Ｂ切換え信号が入力される。本実施の形態では、転写装置のインピーダンスを判定して、判定したインピーダンスに基づいて、基準電圧Ａにするのか基準電圧Ｂにするのかを示す基準電圧Ａ／Ｂ切換え信号が切換え回路１２Ａに入力される。この場合、基準電圧Ａにする場合には、基準電圧Ａ／Ｂ切換え信号はＨｉｇｈとなり、基準電圧Ｂにする場合には、基準電圧Ａ／Ｂ切換え信号はＬｏｗ状態となる。切換え回路１２Ａには、スイッチングレギュレータＩＣ１４Ａ、１６Ａが接続されている。スイッチングレギュレータＩＣ１４Ａには、ＶOUT用基準電圧Ａ及びＩOUT用基準電圧Ａが入力される。スイッチングレギュレータＩＣ１６Ａには、ＶOUT用基準電圧Ｂ、及びＩOUT用基準電圧Ｂが入力される。本実施の形態では、出力状態検出回路８０（第１の実施の形態では、転写用出力電圧検出部２２及び転写用出力電流検出部２４に相当する）を備えている。出力状態検出回路８０からのＶOUT検出電圧及びＩOUT検出電圧は、それぞれスイッチングレギュレータＩＣ１４Ａ、１６Ａに入力される。スイッチングレギュレータＩＣ１４Ａ、１６Ａは、それぞれスイッチング素子回路７０のベース側に接続されている。スイッチング素子回路７０のコネクター側には、昇圧回路５０が接続されている。
【００４４】
次に本実施の形態の作用を説明する。前述したように、転写装置のインピーダンスに基づいて、基準電圧Ａに切換える場合には、基準電圧Ａ／Ｂ切換え信号をＨｉｇｈ状態にする。これにより、第１段目のトランジスタがＯＮし、２段目のコネクター側はＬｏｗとなってスイッチングレギュレータＩＣ１６Ａに入力される。よって、スイッチングレギュレータＩＣは非駆動状態となる。基準電圧Ａ／Ｂ切換え信号（Ｈｉｇｈ状態）が２段目のトランジスタのベース側に入力されると、２段目のトランジスタがＯＮし、２段目のトランジスタのコネクター側はＬｏｗとなる。２段目のトランジスタコネクター側がＬｏｗとなると、３段目のトランジスタがＯＦＦし、３段目のトランジスタのコネクター側はＶＦにより、Ｈｉｇｈ状態となってスイッチングレギュレータＩＣ１４Ａに入力されて、スイッチングレギュレータＩＣ１４Ａが駆動する。スイッチングレギュレータＩＣ１４Ａには、出力状態検出回路８０により検出されたＶOUT検出電圧及びＩOUT検出電圧がそれぞれが入力され、それぞれがＶOUT用基準電圧Ａ、と比較されて、その結果に基づいて、スイッチング素子回路７０が制御されて、昇圧回路５０の１次側が定電圧制御される。
【００４５】
一方、転写装置のインピーダンスが変化し、基準電圧Ｂを選択するような場合には、基準電圧Ａ／Ｂ切換え信号がＬｏｗ状態となる。基準電圧Ａ／Ｂ切換え信号はＬｏｗ状態となると、基準電圧Ａ／Ｂ切換え信号がＨｉｇｈ状態の場合と逆特性となって、スイッチングレギュレータＩＣ14Ａが非駆動状態になると共にスイッチングレギュレータＩＣ1６Ａが駆動状態となって、出力状態検出回路８０により検出されたＶOUT検出電圧及びＩOUT検出電圧と、ＶOUT用基準電圧Ｂ及びＩOUT用基準電圧Ｂとが比較され、比較結果に基づいてスイッチング素子回路２０が制御され、昇圧回路５０の１次側入力が定電圧制御される。
【００４６】
このように、基準電圧Ａと検出された電圧とを比較するスイッチングレギュレータＩＣ１４Ａと、基準電圧Ｂと検出された電圧とを比較するスイッチングレギュレータＩＣとを備え、スイッチングレギュレータＩＣのいずれを駆動するかどうかを基準電圧Ａ／Ｂ切換え信号のＨｉｇｈ又はＬｏｗにより選択するようにしているので、基準値を切換える時間をなくすことができる。即ち、次の種々の効果を得ることができる。
【００４７】
即ち、図１４に示すような切換え回路の切換え時間と比較回路での演算時間の短縮化が可能になり出力モード切換えの応答時間が改善できる。
【００４８】
切換え回路の切換え中の基準値が不確定になる状態がなくなり切換え時の出力不安定状態が改善できる。
【００４９】
各々の出力モードで比較回路を設けているので出力特性に合った出力安定制御が容易な構成にて実現できる。
【００５０】
メカニカルリレーや半導体スイッチを使用しない為、低コスト化が可能である。
次に、第２の実施の形態の変形例を説明する。本変形例は、図１１に示すように、昇圧回路にてトランスの１次側の印加電圧を周期的にスイッチングするスイッチング素子と昇圧回路によって高圧化された２次側の出力状態を検出し、２次側出力と目標値とを比較して、スイッチング素子７０に与えるべきＰＷＭ信号のＤＵＴＹ値を制御する、少なくとも比較回路８４、スイッチング素子用駆動回路１４Ａ、１６Ｂを２つ設け、各々比較回路８４後段とスイッチング素子用駆動回路との間に外部からの信号（基準電圧Ａ／Ｂ切換信号）を入れることで２つの比較回路８４とスイッチング素子用駆動回路１４Ａ、１６Ｂのどちらか一方を選択動作できる構成としている。実際は制御回路には一般的に使用しているスイッチングレギュレータ用ＩＣ（例えばＴＩ製ＴＬ５９４）を２つ使用する。
【００５１】
以上説明した第１の実施の形態及び第２の実施の形態の詳細な電気回路を、図１２及び図１３を参照して説明する。尚、図１２及び図１３の電気回路はそれぞれＡ、Ｂ、Ｃ、Ｄを介して接続されている。
【００５２】
図１２に示すように、切換え回路１２は、前述した第２の実施の形態（図１０）のように複数のトランジスタを備えている。転写電圧制御部１４は、前述した第２の実施の形態のように、スイッチングレギュレータＩＣ１４Ａを備えている。転写電流制御部１６は前述した第２の実施の形態のように、スイッチングレギュレータＩＣ１６Ａを備えている。転写電圧制御部１４及び転写電流御部１６は、第２の実施の形態のように、スイッチング素子７０を備えている。このスイッチング素子７０により昇圧回路（第１のトランス）５０が制御される。
【００５３】
図１３に示すように、逆バイアス電圧制御部２６は、逆バイアス電流制御部２８を備え、第２のトランス６０を制御する。この電気回路では、信号判定回路３０からの信号に基づいて、転写電流バイパス用スイッチ２５が制御されて、逆バイアスディスチャージ抵抗２０が短絡する構成となっている。
【００５４】
図示しない判定器が転写装置の状態（インピーダンス等）を判定して、判定した状態に対応して、切り替え回路１２に、入力端子１０４を介して定電圧／定電流セレクト信号を入力する。
【００５５】
即ち、定電圧制御する場合（転写装置が第１の状態）には、ハイ状態の定電圧／定電流セレクト信号が入力され、上記トランジスタがオンして、転写電圧制御部１４のスイッチングレギュレータＩＣ１４Ａにイネーブル信号として入力されてイネーブル状態となる。第１のトランス５０の２次側の半波整流回路５１からの２次側出力が転写用出力電圧検出部２２のオペアンプ２２Ｐに入力されて、２次側出力の値に対応する大きいの信号がスイッチングレギュレータＩＣ１４Ａに入力される。スイッチングレギュレータＩＣ１４Ａは、自身が記憶している基準電圧Ａと入力した信号とを比較して、スイッチング素子７０をスイッチング制御して、第１のトランス５０の２次側の半波整流回路５１からの２次側出力が、転写装置が第１の状態に対応する大きさになるように制御する。
【００５６】
一方、定電流制御する場合（転写装置が第２の状態）には、ロー状態の定電圧／定電流セレクト信号が入力され、上記トランジスタがオフして、転写電流制御部１６のスイッチングレギュレータＩＣ１６Ａにイネーブル信号として入力されてイネーブル状態となる。第１のトランス５０の２次側の半波整流回路５１からの２次側出力が転写用出力電流検出部２４のオペアンプ２４Ｐに入力されて、半波整流回路５１を流れる電流の値を示す信号がスイッチングレギュレータＩＣ１６Ａに入力される。スイッチングレギュレータＩＣ１６Ａは、自身が記憶している基準電圧Ｂと入力した信号とを比較して、スイッチング素子７０をスイッチング制御して、第１のトランス５０の２次側の半波整流回路５１からの２次側出力が、転写装置が第２の状態に対応する大きさになるように制御する。
【００５７】
上記のように転写時には、ロー状態の転写／クリーニング信号が入力端子１０６を介して、信号判定回路３０に入力される。この場合、信号判定回路３０内のトランジスタ３０Ｃがオフして、転写電流バイパス用スイッチ２５がオンして、逆バイアスディスチャージ抵抗２０が短絡する。
【００５８】
一方、非転写時（クリーニング時）には、ハイ状態の転写／クリーニング信号が入力端子１０６を介して、信号判定回路３０に入力される。
これにより、発光ダイオード３０Ｂが発光し、逆バイアス電圧制御部２６のフォトダイオード２６Ａが受光して、イネーブル状態となる。第２のトランス６０の２次側出力（転写ロールに印加される電圧）は、インダクタンス６３を介して、逆バイアス出力電圧検出部２８で検出され、２次側出力に対応する値の信号がトランジスタ２６Ｂのベース側に入力される。これにより、２次側出力の大きさに対応して、第２のトランス６０が制御されて、２次側出力がクリーニング可能な大きさに制御される。
【００５９】
以上説明した実施の形態では、転写装置の状態を第１の状態と第2の状態の２種類の場合を例にとり説明したが、本発明はこれに限定されるものではなく、２より大きい複数の状態に応じて制御するようにしてもよい。この場合には、複数の状態の個数のスイッチングレギュレータを備え、上記と同様に制御してもよい。
【００６０】
【発明の効果】
以上説明したように請求項１記載の発明は、第１の電源回路及び第２の電源回路の一方に設けられたバイパス抵抗をラッシュ電流抑制抵抗と逆バイアスディスチャージ抵抗とで構成し、第１の電源回路及び第２の電源回路の他方から出力されているときに逆バイアスディスチャージ抵抗を短絡するため、内部損失を少なくすることができ、高い効率化を図ることができると共に、このようにバイパスするため、切換え時にノイズを発生しない、という効果を有する。
【００６１】
請求項２および３記載の発明は、スイッチング制御と、基準値と電源出力との誤差増幅とを行う制御手段を複数設けたので、複数の制御手段各々は、各々の基準値と電源出力とを比較するので、基準値を切換える時間をなくすことができ、電源装置の状態に応じてパラメーターを切換える時間を短縮することができる、という効果を有する。
【図面の簡単な説明】
【図１】 第１の実施の形態のブロック図である。
【図２】 第１の実施の形態の作用を説明する図である。
【図３】 第１のトランス及び第２のトランスの２次側を説明する概略図である。
【図４】 図３の電気回路の詳細図である。
【図５】 第１の実施の形態の第１の変形例を示すブロック図である。
【図６】 第１の実施の形態の第２の変形例を示すブロック図である。
【図７】 第１の実施の形態の第３の変形例を示すブロック図である。
【図８】 第１の実施の形態の第４の変形例を示すブロック図である。
【図９】 第１の実施の形態の第５の変形例を示すブロック図である。
【図１０】 第２の実施の形態のブロック図である。
【図１１】   第２の実施の形態の変形例を示すブロック図である。
【図１２】   第１の実施の形態及び第２の実施の形態の詳細な電気回路の一部である。
【図１３】   第１の実施の形態及び第２の実施の形態の電気回路の残りである。
【図１４】   従来技術の電気回路である。
【符号の説明】
５０    第１のトランス（第１の電源回路）
５１    半波整流回路（第１の電源回路）
６０    第２のトランス（第２の電源回路）
６１    半波整流回路（第２の電源回路）
１８、２０      抵抗（バイパス抵抗）
２５    スイッチ（バイパス手段）
７０    スイッチング素子（スイッチング手段）
１２Ａ    切り替え回路（制御手段）
１４Ａ、１６Ａ  スイッチングレギュレータＩＣ（制御手段）
【図１】
0003721825.tif 000005
【図２】
0003721825.tif 000006
【図３】
0003721825.tif 000007
【図４】
0003721825.tif 000008
【図５】
0003721825.tif 000009
【図６】
0003721825.tif 000010
【図７】
0003721825.tif 000011
【図８】
0003721825.tif 000012
【図９】
0003721825.tif 000013
【図１０】
0003721825.tif 000014
【図１１】
0003721825.tif 000015
【図１２】
0003721825.tif 000016
【図１３】
0003721825.tif 000017
【図１４】
0003721825.tif 000018